(57)【特許請求の範囲】
【請求項１】
折曲自在に互いに連結された一対の発熱部を、少なくとも一つ備えている加温具であって、
一対の上記発熱部の一方の発熱部には、粘着面が形成され、他方の発熱部には、剥離面が形成されており、
一対の上記発熱部を二つ以上有しており、上記粘着面を有する発熱部と、上記剥離面を有する発熱部とが、それぞれ異なる列を形成するように配置され、
一方の上記発熱部の粘着面と他方の上記発熱部の剥離面とが、互いに面接して剥離自在に粘着され得るようになされており、
上記粘着面を有する発熱部の少なくとも一つを、ショーツの上縁部において該ショーツの一面に粘着させ、該発熱部と上記一対をなす上記剥離面の形成された発熱部を該ショーツの他面に面接させて使用され、
上記発熱部は、それぞれ、三角形状であり且つ一対のシート間に発熱体が封入されて形成されており、相隣接する発熱部どうしが、上記発熱体が存在しない、シートからなる部分を介して連結されている加温具。
【発明の詳細な説明】
【０００１】
【発明の属する技術分野】
本発明は、携帯に便利であると共に、被加温部に固定しやすい加温具に関する。
【０００２】
【従来の技術及び発明が解決しようとする課題】
腹部や腰部等を加温する加温具は、種々知られている。
しかし、従来の加温具は、コンパクトな形態に折り畳むことができず携帯に不便であり、また、加温したい部位に安定的に固定することができず、使用時に、ずれ落ちたり、使用感が悪い等の問題を有していた。
【０００３】
従って、本発明の目的は、コンパクトな形態に折り畳むことができ、携帯に便利であると共に、使用時に被加温部に容易且つ確実に固定することのできる加温具を提供することにある。
【０００４】
【課題を解決するための手段】
本発明は、折曲自在に互いに連結された一対の発熱部を、少なくとも一つ備えている加温具であって、一対の上記発熱部の一方の発熱部には、粘着面が形成され、他方の発熱部には、剥離面が形成されていることを特徴とする加温具を提供することにより、上記の目的を達成したものである。
【０００５】
【発明の実施の形態】
以下、本発明の加温具の好ましい一実施形態について図面を参照して説明する。
図１及び２に示す加温具１は、折曲自在に互いに連結された一対の発熱部を三つ（Ｐ１，Ｐ２，Ｐ３）を幅方向（図１の左右方向）に備えている加温具であって、各対の上記発熱部の一方の発熱部Ａ１，Ａ２，Ａ３には、それぞれ粘着面ａが形成され、各対の上記発熱部の他方の発熱部Ｂ１，Ｂ２，Ｂ３には、剥離面ｂが形成されている。尚、粘着面ａ及び剥離面ｂは、いずれも加温具１における図１に示される裏面側に形成されている。
【０００６】
更に詳述すると、本実施形態の加温具１においては、上記粘着面ａを有する発熱部Ａ１及びＡ３と、発熱部Ａ２によって加温具１の上部と下部に該加温具１の幅方向に沿う粘着部ａの列が形成されている。そして、各対における上記剥離面ｂを有する発熱部Ｂ１，Ｂ２，Ｂ３によって、加温具１の中央部に、該加温具１の幅方向に沿う剥離面ｂの列が形成されている。
【０００７】
各発熱部Ａ，Ｂは、三角形状、より具体的には直角二等辺三角形状の扁平形状をしており、その各々は、略同形の一対のシート１１，１２を互いの周縁部において接合し、その接合部２の内側に形成される一対の上記シート１１，１２間の空間内に発熱体１３を封入して形成されている。発熱体１３は、空気に触れると発熱する発熱体であって、通常の使い捨てカイロと同様に、鉄粉を主成分とした発熱体組成物からなるものが用いられている。発熱体１３の封入部を形成する一対の上記シート１１，１２の形成材料は、通気性、生産性及び肌当接時の感触等の観点から不織布であることが好ましいが、これに制限されず、合成樹脂製の多孔性フィルム等の材料を用いることができる。また、加温具１の表側のシートと裏側のシートで、異なる材質や異なる特性のシートを用いても良い。
【０００８】
各対における上記発熱部Ａ，Ｂ間の連結部Ｃ１〜Ｃ３は、粘着面ａと剥離面ｂとを互いに面接させて粘着し得るように、折曲自在のシートにより折曲自在に形成されている。
連結部を形成するシートは、折曲可能であれば特に制限されず、ポリエチレン等の合成樹脂、綿等の天然繊維からなる織物、各種不織布等の可撓性シートを用いることができる。本実施形態においては、対をなす発熱部Ａ，Ｂ間に掛け渡すように、加温具１の裏面側にシート３が積層接着されており、該シート３により折曲自在の上記連結部Ｃ１〜Ｃ３が形成されている。
【０００９】
発熱部Ａ１〜Ａ３の各粘着面ａは、粘着材の塗布により形成されている。粘着材としては、アクリル系、ゴム系、エマルジョン系、シリコン系等の各種の粘着材を用いることができるが、これらの中でも使用中の温度変化の影響を受けにくいゴム系あるいはアクリル系の粘着剤が好ましい。また、粘着材の塗布態様は、粘着面ａを形成し得る限り特に制限されず、ベタ塗りの他、ドット状、ライン状等の間欠的な塗布態様であっても良い。
【００１０】
発熱部Ｂ１〜Ｂ３の各剥離面ｂは、剥離処理により形成されている。より具体的には、上記シート３が剥離処理されたシートであり、各剥離面ｂは、剥離処理されたシート３により形成されている。本実施形態の加温具１においては、図１に示すように、全ての剥離面ｂが、一枚の剥離処理されたシートにより形成されている。本発明における剥離面ｂは、上記発熱体の封入部を形成するシートの表面に剥離処理剤を塗布する他、剥離テープ、剥離紙、剥離処理した不織布、剥離処理したポリエチレンラミネート紙、剥離処理したポリエチレンフィルム等の剥離部材を貼付して形成しても良い。尚、剥離処理剤あるいは剥離部材の剥離剤成分としてはシリコーン樹脂系、フッソ樹脂系、又はオクタデシルイソシアネート系等のものが好ましい。
【００１１】
本実施形態においては、各対の発熱部Ｐ１〜Ｐ３は、図１に示されるように、Ｖ字形をなすように配されており、そして、本加温具１は、図１中矢印で示すように、各対の発熱部Ｐ１〜Ｐ３において各粘着面ａと剥離面ｂとを互いに面接させて貼り合わせることができるようになっており、更に、貼り合わされた各対Ｐ１〜Ｐ３同士を、各対Ｐ１〜Ｐ３間の連結部Ｄ１及びＤ２において折曲することにより更に積層させることができるようになっている。
【００１２】
次に、本実施形態の加温具１の使用方法について説明する。
図３には、下腹部を加温して生理痛を緩和するために、加温具１を、上記粘着面ａを有する発熱部Ａの少なくとも一つを、ショーツ４の上縁部においてその一面（ショーツ前面部の裏面）に粘着させ、該発熱体Ａと一対をなす他方の発熱部Ｂを、該ショーツ４の他面（ショーツ前面部の表面）に粘着させて使用する例を示してある。なお、本加温具は、発熱部Ａ２をショーツ前部の裏面に粘着させ、発熱体Ａ２と一対をなす発熱部Ｂ２をショーツ４の前部の表面に面接させて使用しても良い。
【００１３】
本実施形態の加温具１は、上記各対Ｐ１〜Ｐ３の発熱部同士が互いに面接させて貼り合わせ可能に形成されているため、非使用時には、コンパクトな形態に折り畳むことができ、更に各対Ｐ１〜Ｐ３同士を、その間の連結部Ｄ１及びＤ２において折り曲げて積層させることができるようになっているため、更にコンパクトな形態に折り畳むことができる。従って、使用前における包装状態を小型化することができ、携帯、運搬、保管等に便利である。また、各粘着面ａと、剥離面ｂとが、互いに面接されて剥離自在に粘着され得るようになされているため、非使用時には、剥離紙等を介在させることなくコンパクトに折り畳むことができ、使用の際には、剥離紙を取り除く手間を省略できる。
【００１４】
また、使用の際には、加温具１の一部を、発熱部Ａ，Ｂ間の連結部において折り曲げ、ショーツ４の上縁部等に係合させることによって、被加温部である下腹部等に安定に固定することができる。また、この際、ショーツ４の前面部の裏面に、上記粘着面ａが粘着するので、ショーツ４の上げ下げ時等における加温具１の被加温部からのズレや脱落が防止される。
【００１５】
また、本実施形態の加温具１においては、上記粘着面ａを有する発熱部Ａと、上記剥離面ｂを有する発熱部Ｂとが、それぞれ異なる列を形成するように配置されているため、使用の際に、粘着面ａ同士が相互に粘着されることが防止され、加温具１を、下腹部等の被加温部に容易且つ確実に固定することができる。
更に、中央部に粘着面ａがないので、ショーツ４の上げ下げの際の生地たるみがその領域で干渉され、ショーツ４の上げ下げがスムーズに出来る。
【００１６】
また、小分け発熱体で体の下腹部の凸凹にフィットするので、違和感を低減することができる（発熱部間が四方八方に可動しやすい）。
装着形状や装着位置を変えることができるため、特に痛い部分など装着したい場所に当てやすい。
【００１７】
以上、本発明の加温具の好ましい実施形態について説明したが、本発明は、上記実施形態に制限されず、適宜変更可能である。
例えば、各発熱部の形状は、三角形状に限られず、半円形状、長方形状など任意の形状にできる。
また、一対をなす上記発熱部Ａと上記発熱部Ｂの形状は、上記の実施形態におけるように、両者間の連結部Ｃ１〜Ｃ３に対して線対称であることが好ましいが、発熱部Ａ及び発熱部Ｂが非対称であっても良い。但し、上記発熱体Ａの粘着面ａよりも上記発熱体Ｂの剥離面ｂが大きいことが好ましい。
【００１８】
また、発熱部Ａ，Ｂ間の連結部Ｃ１〜Ｃ３を、発熱体の封入部を形成する一対の上記シートの一方又は双方により形成しても良い。
また、上述の実施形態においては、発熱体として、鉄粉を含む発熱体組成物を有するものを例示したが、ニクロム線を用いた通電により発熱する発熱体、塩化カルシウム、酸化カルシウム、ゼオライト等の水と接して発熱する発熱体等を用いても良い。
【００１９】
また、上記加温具１は、生理痛を緩和するために、下腹部を被加温部とするものであるが、痛みの緩和その他の目的で腹部以外を被加温部とするものであっても良い。また、図３の例では、加温具１の一部を折り返してショーツの縁部を挟持させるようにしたが、図１のように広げた状態のまま、対象部の下着等に固着させても良い。
【００２０】
【発明の効果】
本発明によれば、コンパクトな形態に折り畳むことができ、携帯に便利であると共に、使用時に、容易且つ確実に被加温部に固定することのできる加温具を提供することができる。
【図面の簡単な説明】
【図１】図１は、本発明の加温具の一実施形態を示す平面図である。
【図２】図２は、図１に示す加温具のＸ−Ｘ線矢視断面図である。
【図３】図３は、図１に示す加温具の使用状態を説明するための説明図である。
【符号の説明】
１    加温具
Ｐ１〜Ｐ３  折曲自在に互いに連結された一対の発熱部
Ａ，Ａ１〜Ａ３  粘着面を有する発熱部
Ｂ，Ｂ１〜Ｂ３  剥離面を有する発熱部
Ｃ，Ｃ１〜Ｃ３  発熱部Ａ，Ｂ間の連結部
Ｄ１，Ｄ２      発熱部Ｂ，Ｂ間の連結部
ａ    粘着面
ｂ    剥離面
２    接合部
４    ショーツ
【図１】
0004215327.tif 000002
【図２】
0004215327.tif 000003
【図３】
0004215327.tif 000004